(57)【要約】本発明は、端末装置のタッチパネルのタッチされた面積を検出し、タッチされた面積によりタッチパネルに表示される電子書籍のページ変換速度を確定することを含む電子書籍のページ変換方法、装置及び携帯機器が開示されている。本発明によると、既存のページ変換において、素早いページ変換を実現すると同時に、変換速度のコントロールと、ページ番号の精確な指定を実現することができないという課題を解決することができる。【選択図】図２
2014531676.tif 000002
【特許請求の範囲】
【請求項１】
端末装置のタッチパネルのタッチされた面積を検出することと、
前記タッチされた面積により前記タッチパネルに表示される電子書籍のページ変換速度を確定することとを含む電子書籍のページ変換方法。
【請求項２】
請求項１に記載の方法であって、
前記タッチされた面積により前記タッチパネルに表示される電子書籍のページ変換速度を確定することは、
前記タッチされた面積の大きさと前記電子書籍のページ変換速度とは正比例になること、或いは、
前記タッチされた面積の大きさと前記電子書籍のページ変換速度とは反比例になることを含む電子書籍のページ変換方法。
【請求項３】
請求項１に記載の方法であって、
前記タッチされた面積は、ユーザの指でタッチされた面積を含む電子書籍のページ変換方法。
【請求項４】
請求項３に記載の方法であって、
前記タッチされた面積により前記タッチパネルに表示される電子書籍のページ変換速度を確定することは、
前記指と前記タッチパネルのパネルからなるコンデンサーの静電容量を検出ことと、
前記静電容量が大きくなることが検出された場合、前記指で前記パネルにタッチする面積が大きくなると確定し、前記電子書籍のページ変換速度を加速することを含む電子書籍のページ変換方法。
【請求項５】
請求項１乃至請求項４のいずれか一項に記載の方法であって、
前記端末装置のタッチパネルのタッチされた面積を検出することは、
前記タッチパネルにおける少なくとも一つの所定の位置がタッチされた面積を検出することを含む電子書籍のページ変換方法。
【請求項６】
請求項１乃至請求項４のいずれか一項に記載の方法であって、
前記タッチされた面積により前記タッチパネルに表示される電子書籍のページ変換速度が確定されてから、さらに前記電子書籍が前記ページ変換速度によりページ変換をすることを含む電子書籍のページ変換方法。
【請求項７】
請求項６に記載の方法であって、
前記電子書籍が前記ページ変換速度によりページ変換をしてから、前記タッチパネルが再びタッチされたことを検出した場合、改めてタッチされた面積により前記電子書籍のページ変換速度を確定する電子書籍のページ変換方法。
【請求項８】
携帯機器のタッチパネルのタッチされた面積を検出する検出モジュールと、
前記タッチされた面積により前記タッチパネルに表示される電子書籍のページ変換速度を確定する確定モジュールとを含む電子書籍のページ変換装置。
【請求項９】
請求項８に記載の装置であって、
前記確定モジュールは、前記タッチされた面積の大きさと前記電子書籍のページ変換速度とは正比例になる、或いは前記タッチされた面積の大きさと前記電子書籍のページ変換速度とは反比例になるというルールにより、前記タッチパネルに表示される電子書籍のページ変換速度を確定する電子書籍のページ変換装置。
【請求項１０】
請求項８又は請求項９に記載の装置であって、
前記検出モジュールは、前記タッチパネルにおける少なくとも一つの所定の位置がタッチされた面積を検出する電子書籍のページ変換装置。
【請求項１１】
請求項８乃至請求項１０のいずれか一項に記載の電子書籍ページ変換装置を含む携帯機器。
【発明の詳細な説明】
【技術分野】
【０００１】
本発明は通信分野に関し、具体的には、電子書籍のページ変換方法、装置及び携帯機器に関する。
【背景技術】
【０００２】
電子書籍は近年来人気が上がってきた革命的な閲読方式であり、デジタル端末装置を介しシミュレーション書籍画面を表示し、ユーザに文字情報を伝達する。電子書籍は携帯しやすく、情報記憶量が大きいという利点を有する。まず、電子書籍は文字をデジタル化することで、ユーザが手軽なデジタル端末装置でいずれかの書籍を読めるようになり、この閲読方法により、重い実体書籍が使わなくなっていく。次に、現在のデジタル装置は、内蔵メモリ又はネットワークサーバーにより大量な文字情報の記憶が実現できる。
【０００３】
ユーザの伝統的な書籍を読む感じを体験したいというニーズに応じて、現在、一般的な電子書籍は画面と操作において実体書籍をシミュレーションした設計が行われている。図１は実体書籍に対してシミュレーションをした端末装置を示す図であり、既存の画面シミュレーションは、通常デジタル端末のディスプレーで、実体書籍の外観が表示されることで実現される。ディスプレーにて表示されたシミュレーション書籍に対して操作シミュレーションをすることは、デジタル端末のタッチパネルでシミュレーション画面に対して操作をすることになっている。シミュレーション書籍の閲読において、ページ変換は最も頻繁的に使用される操作であり、マンマシンインタラクションのエクスペリエンスに対する影響が大きいものである。
【０００４】
現在、一般的なページ変換操作は、タッチパネルでのスライドによりシミュレーションページの変換が実現されることと、タッチパネルにおける特定のページめくりボタンをクリックする或いは機器上の実体ボタンを押すことでページ変換が実現されることという２種類の方式がある。前者は実体書籍のページめくりの方法に近似するが、素早く連続的なページ変換が実現できない。これに対して、後者は素早いページ変換が実現できるが、変換速度はコントロール不可であり、ページ番号を正確に指定することができない上に、単独に設計されたボタンにより電子書籍のシミュレーション性が損なわれている。
【０００５】
関連技術において、既存のページ変換は、素早いページ変換を実現するとともに、変換速度のコントロールと、ページ番号の精確な指定を実現することができないという課題について、いままで効果的な解決策が提案されていない。
【発明の開示】
【発明が解決しようとする課題】
【０００６】
本発明は、少なくとも上記既存のページ変換が素早いページ変換を実現するとともに、変換速度のコントロールと、ページ番号の精確的な指定を実現できないという課題を解決するために、電子書籍のページ変換方法、装置及び携帯機器を提供する。
【課題を解決するための手段】
【０００７】
本発明の一つの方面によると、端末装置のタッチパネルのタッチされた面積を検出することと、前記タッチされた面積により前記タッチパネルに表示される電子書籍のページ変換速度を確定することを含む電子書籍のページ変換方法を提供する。
【０００８】
前記タッチされた面積により前記タッチパネルに表示される電子書籍のページ変換速度を確定することは、前記タッチされた面積の大きさと前記電子書籍のページ変換速度とは正比例になること、或いは前記タッチされた面積の大きさと前記電子書籍のページ変換速度とは反比例になることを含むことが好ましい。
【０００９】
前記タッチされた面積は、ユーザの指でタッチされた面積を含むことが好ましい。
【００１０】
前記タッチされた面積により前記タッチパネルに表示される電子書籍のページ変換速度を確定することは、前記指と前記タッチパネルのパネルからなるコンデンサーの静電容量を検出することと、前記静電容量が大きくなることが検出された場合、前記指で前記パネルにタッチする面積が大きくなると確定し、前記電子書籍のページ変換速度を加速することを含むことが好ましい。
【００１１】
前記端末装置のタッチパネルのタッチされた面積を検出することは、前記タッチパネルにおける少なくとも一つの所定の位置がタッチされた面積を検出することを含むことが好ましい。
【００１２】
前記タッチされた面積により前記タッチパネルに表示される電子書籍のページ変換速度が確定されてから、さらに前記電子書籍が前記ページ変換速度によりページ変換をすることを含むことが好ましい。
【００１３】
前記電子書籍が前記ページ変換速度によりページ変換をしてから、前記タッチパネルが再びタッチされたことを検出した場合、改めてタッチされた面積により前記電子書籍のページ変換速度を確定することが好ましい。
【００１４】
本発明のもう一つの方面によると、携帯機器のタッチパネルのタッチされた面積を検出する検出モジュールと、前記タッチされた面積により前記タッチパネルに表示される電子書籍のページ変換速度を確定する確定モジュールとを含む電子書籍のページ変換装置を提供する。
【００１５】
前記確定モジュールは、前記タッチされた面積の大きさと前記電子書籍のページ変換速度とは正比例になる、或いは前記タッチされた面積の大きさと前記電子書籍のページ変換速度とは反比例になるというルールにより、前記タッチパネルに表示される電子書籍のページ変換速度を確定することが好ましい。
【００１６】
前記検出モジュールは、前記タッチパネルにおける少なくとも一つの所定の位置がタッチされた面積を検出することが好ましい。
【００１７】
本発明のもう一つの方面によると、上記電子書籍のページ変換装置を含む携帯機器を提供する。
【００１８】
本発明の実施例において、端末装置のタッチパネルのタッチされた面積と電子書籍のページ変換速度との間に対応するマッピング関係が確立され、タッチされた面積により変換速度が確定され、速度を制御しようとする場合、タッチされた面積を制御すればよく、さらに素早いページ変換が実現されるとともに、変換速度が制御されて、ページ番号が精確に指定でき、単独のボタンを使用せず、電子書籍のシミュレーション性が確保されている。
【図面の簡単な説明】
【００１９】
以下に記載の図面は、本発明をさらに理解するために提供され、本願の一部を構成し、本発明の概念的に示す実施例及びその説明は本発明を解釈するものであり、本発明を限定するものではない。
【図１】関連技術に係わる実体書籍に対してシミュレーションをする端末装置を示す図である。
【図２】本発明の実施例に係わる電子書籍のページ変換方法の処理フローチャートである。
【図３】本発明の実施例に係わる電子機器３００の構造を示す図である。
【図４】本発明の実施例に係わる図３に示す機器で電子書籍のページ変換方法を実行するフローチャートである。
【図５】本発明の実施例に係わる実体書籍に対してシミュレーションをする端末装置を示す図である。
【図６】本発明の実施例に係わる電子書籍のページ変換装置の構造を示す図である。
【発明を実施するための形態】
【００２０】
以下、図面を参照し、実施例を結合して、本発明を詳しく説明する。なお、本願の実施例および実施例の特徴は、衝突がない場合には、互いに組み合わせることが可能である。
【００２１】
関連技術に述べられたように、現在一般的なページ変換操作は、タッチパネルでのスライドによりシミュレーションページの変換が実現されることと、タッチパネルにおける特定のページめくりボタンをクリックする或いは機器上の実体ボタンを押すことでページ変換が実現されることという２種類の方式がある。前者は実体書籍のページめくりの方法に近似するが、素早く連続的なページ変換が実現できない。これに対して、後者は素早いページ変換が実現できるが、変換速度はコントロール不可であり、ページ番号を正確に指定することができない上に、単独に設計されたボタンにより電子書籍のシミュレーション性が損なわれている。
【００２２】
つまり、関連技術におけるページ変換操作は、素早いページ変換を実現するとともに、変換速度をコントロールし、ページ番号を精確に指定することができない。上記技術課題を解決するために、本発明の実施例は電子書籍のページ変換方法を提供し、その処理フローチャートは図２に示すように、
ステップＳ２０２、端末装置のタッチパネルのタッチされた面積を検出することと、
ステップＳ２０４、タッチされた面積によりタッチパネルに表示される電子書籍のページ変換速度を確定することを含む。
【００２３】
本発明の実施例において、端末装置のタッチパネルのタッチされた面積と電子書籍のページ変換速度との間に対応するマッピング関係が確立され、タッチされた面積により変換速度が確定され、速度を制御しようとする場合、タッチされた面積を制御すればよく、さらに素早いページ変換が実現されるとともに、変換速度が制御され、ページ番号が精確に指定でき、単独のボタンを使用せず、電子書籍のシミュレーション性が確保されている。
【００２４】
本発明の実施例に係わる端末装置のタッチパネルのタッチされた面積と電子書籍のページ変換速度との間に対応するマッピング関係が確立され、その具体的なマッピングのルールは、
タッチされた面積の大きさと電子書籍のページ変換速度とは正比例になること、或いは、
タッチされた面積の大きさと電子書籍のページ変換速度とは反比例になることであることが好ましい。
【００２５】
具体的にいずれのマッピング関係を採用するかは端末装置で予め設定することができ、実行する時、設定した正比例又は反比例のマッピング関係によりパネルをタッチする。
【００２６】
ユーザが通常指で端末装置のタッチパネルをタッチするので、タッチされた面積とは通常ユーザの指でタッチされた面積である。実際の応用において、ユーザは指に限らず、タッチペンなどのような適切な物体又は部材でタッチパネルを操作することもできる。
【００２７】
図２に示すプロセスのように、ステップＳ２０２が実行される時、端末装置のタッチパネルのタッチされた面積を検出することは、タッチパネルの任意の位置で測定することができ、タッチパネルにおける少なくとも一つの所定位置のタッチされた面積を検出することが好ましい。実施する時、所定位置の感度を向上でき、感度を確保すると同時に、コストを低減でき、タッチパネルのパネル全体で同様な感度を確保する必要がない。
【００２８】
図２に示すように、ステップＳ２０４では、タッチされた面積によりタッチパネルに表示される電子書籍のページ変換速度が確定されることになっているが、タッチパネルは静電容量式パネルであれば、指とタッチパネルのパネルを利用してコンデンサーになり、電界を生成させる。指とパネルとの接触面積が大きくなる場合、コンデンサーの電気容量が大きくなり、電子書籍のページ変換速度を加速する。端末装置側から言えば、端末装置がユーザの指とタッチパネルのパネルからなるコンデンサーの電気容量を検出することができ、コンデンサーの電気容量が大きくなることが検出された場合、ユーザの指とパネルとの接触面積が大きくなったと確定し、端末装置はそれに応じて電子書籍のページ変換速度を加速する。
【００２９】
ページ変換速度が確定されてから、電子書籍がページ変換速度によりページ変換をする。電子書籍はページ変換速度によりページ変換をしてから、タッチパネルが再びタッチされることが検出した場合、改めてタッチされた面積により電子書籍のページ変換速度を確定する。
【００３０】
以下、図面を結合しながら、技術案の実施について、さらに詳しく説明する。
本発明の実施例に係わる電子機器は、図３を参照し、機器３００と称する。機器３００は、メモリ３０２、メモリ制御器３０４、一つまたは複数のプロセッサ（ＣＰＵ）３０６、周辺インターフェース３０８、ＲＦ（無線周波数）回路３１２、オ一デイオ回路３１４、外部ポート３１６、入力／出力（Ｉ／Ｏ）サブシステム３２０、タッチパネル３２２、ディスプレー３２４、他の入力／出力機器３２６、タッチパネル制御器３２８、ディスプレー制御器３３０、及び他の入力／出力機器制御器３３２を含む。これらの部材は一本または複数の通信バス又は信号線３１０を介し通信する。機器３００はいずれの電子機器でもよく、ハンドヘルドコンピュータ、携帯電話、メディアプレーヤー、携帯情報端末（ＰＤＡ）などを含むがこれらに限定されなく、それらの二つまたは複数の組み合わせもさらに含む。なお、機器３００は電子機器３００の一つの実例に過ぎず、当該機器３００は図示したものよりも多くの又は少ない部材を有してもよく、或いは異なる部材配置を有してもよい。図３に示された各種の部材は、ハ一ドウエア、ソフトウェア或いはソフト／ハードウェアの組み合わせにより実現され、一つまたは複数の信号処理及び専用のＩＣを含む。
【００３１】
メモリ３０２はランダムアクセスメモリを含み、且つ一つまたは複数のディスク記憶装置、フラッシュメモリ装置或いは他の非発揮性メモリを含んでもよい。メモリ制御器３０４は、機器３００の、例えばＣＰＵ３０６及び周辺インターフェース３０８のような他の部材がメモリ３０２に対するアクセスを制御することができる。
【００３２】
周辺インターフェース３０８は、機器の入力及び出力周辺装置をＣＰＵ３０６とメモリ３０２にカップリングする。一つまたは複数のプロセッサ３０６は、機器３００の各種の機能を実行してデ−タを処理するように、メモリ３０２に記憶された各種のソフトウエアプログラムを実行する。
【００３３】
ＲＦ回路３３２は電磁波を受送信する。当該ＲＦ回路３３２は電気信号を電磁波に変換し、又は電磁波を電気信号に変換して、電磁波を介し通信ネットワーク及び他の通信機器と通信する。
【００３４】
オ一デイオ回路３１４はユーザと機器３００との間のオ一デイオインターフェースを提供する。オ一デイオ回路３１４は周辺インターフェース３０８からのオ一デイオデ−タを受信し、オ一デイオデ−タを電気信号に変換し、さらに電気信号をスピーカーに伝送する。スピーカーは電気信号を人の可聴音波に変換する。オ一デイオ回路３１４は、さらにマイクにより音波から変換された電気信号を受信する。当該オ一デイオ回路３１４は、処理を行うように、電気信号をオ一デイオデ−タに変換し、さらにオ一デイオデ−タを周辺インターフェース３０８に伝送する。
【００３５】
Ｉ／Ｏサブシステム３２０は機器３００の入力／出力周辺装置と周辺インターフェース３０８との間のインターフェースを提供し、入力出力周辺装置は、例えばタッチパネル３２２、ディスプレー３２４と他の入力／制御装置３２６である。当該Ｉ／Ｏサブシステム３２０は、タッチパネル制御器３２８、ディスプレー制御器１３０及び他の出力又は制御装置に用いられる一つまたは複数の制御器３３２を含む。
【００３６】
タッチパネル３２２とディスプレー３２４は機器とユーザとの間に、それぞれ入力インターフェースと出力インターフェースを提供する。ディスプレー３２４はユーザに、テキスト、図形、映像及びそれらのいずれかの組み合わせを含む可視出力を表示する。タッチパネル３２２はユーザの入力を引き受けるタッチセンシティブ表面で、タッチパネル制御器３２８といっしょにタッチパネル３２２上の接触を検出し、検出された接触をディスプレーのユーザインターフェース対象とのインタラクティブに変換する。本発明におけるタッチパネル３２２とタッチパネル制御器３２８は、特に静電容量式技術のような接触面積が検出できるタッチ技術を指している。
【００３７】
本発明の実施例において、まず、静電容量技術を例として、接触面積感知原理を詳しく説明する。静電容量とは、電界を収容する能力である。一般的な平行板コンデンサーの静電容量Ｃ＝εＳ／ｄで、εは極板間の媒体の誘電率で、Ｓは極板面積、ｄは極板間の距離である。このように、板間距離が変わらない場合、両極板間の重なり面積が大きくなると、電気容量が大きくなる。指で静電容量式タッチパネルを接触する時、指とパネルによりコンデンサーになり、電界を生成し、接触面積が大きくなると、指とパネル間の電気容量も大きくなる。本発明の実施例は、他の接触面積の大きさを検出するタッチ技術を除外せず、これらの技術において、ユーザは指に限らず、適切な物体又は部材によりタッチパネル３２２を操作することもできる。
【００３８】
機器３００は、さらに各種の部材に電力を供給する電源システム３３４を含む。当該電源システム３３４は、電源管理システム、一つまたは複数の電源（例えばセル、交流電流（ＡＣ））、充電システム、電源故障検出回路、電源コンバーター、及びポータブル機器における電気エネルギーの生成、管理及び分布に関する他のいずれかの部材を含む。
【００３９】
図４は本発明の実施例に係わる図３に示す機器で電子書籍のページ変換方法を実行するフローチャートであり、ステップＳ４０２〜ステップＳ４１４を含む。
【００４０】
ステップＳ４０２、機器は、指でパネルをタッチする面積に対して、予めグレーディングする。グレーディングの原理は、静電容量式タッチ技術を例として、機器により指とタッチパネル間の静電容量の大きさが検出でき、指とパネルとの距離が変わらない場合、この静電容量と指でパネルを押す面積とは正相関である。グレーディングのステップは、機器はまずタッチパネルの検出可能な指でパネルをタッチする最小面積と最大面積のそれぞれに対応する２つの電気容量ＣｍｉｎとＣｍａｘを定義し、それからＣｍｉｎとＣｍａｘとの間の差を所定の関数（例えば一次関数）と所定のグレード数でグレーディングし、各グレードの電気容量の対応するのは、同じグレードの指でパネルをタッチする面積の大きさである。
【００４１】
ステップＳ４０４、機器は異なるグレードの指でパネルをタッチする面積と異なるページ変換時間とを対応付け、通常、当該対応関係は逆相関で、即ち指でパネルをタッチする面積が大きいほど、ページ変換時間が小さい。
【００４２】
ステップＳ４０６、タッチパネルで所定位置を確定し、当該所定位置の設定は実体書籍を閲読することをシミュレーションすることを原則として、例えば図５において、所定位置がＡ１とＡ２に設定されている。
【００４３】
ステップＳ４０８、ＣＰＵは継続してパネルの所定位置における指の接触を検出し、指で所定位置がタッチされる時、ＣＰＵはタッチ面積のグレードを検出し、さらにその対応するページ変換時間を判断する。
【００４４】
ステップＳ４１０、ＣＰＵは時間をカウントし始め、ステップＳ４０８で得られたページ変換時間に達したかを判断する。
【００４５】
ステップＳ４１２、ＣＰＵはステップＳ４０８で得られたページ変換時間に達したと判断する場合、図５における表示ページが所定の方式により変換される。例えば、左から右への表示内容モードにおいて、指で所定位置Ａ１がタッチされると、ページ番号＋２のページ画面が表示されるというページ変換方式になる。指で所定位置Ａ２がタッチされると、ページ番号−２のページ画面が表示されるというページ変換方式になる。ページ変換が終了するまでに、パネルで所定の変換アニメーションを対応的に表示することができる。例えばページ番号＋２のページ画面が表示される前に、パネルで右側のページが左へめくるアニメーションが表示される。
【００４６】
ステップＳ４１４、機器はＡ１とＡ２での指によるタッチが解除したかを判断し、Ｙｅｓと判断する場合、プロセスが終了する。Ｎｏと判断する場合、プロセスはステップＳ４０８に戻り、ページ変換ステップをもう一度行う。
【００４７】
上記分析から、本発明の実施例の核心的な構想は、機器がまずタッチパネルの識別可能の面積に対して予めグレーディングし、さらに異なるページ変換時間に対応付けることを含むシミュレーション書籍に対してページ変換を行う方法を提供することである。ユーザが表示画面の特定位置をタッチすると、機器はタッチ面積の大きさを検出し、それに対応するページ変換時間を判断する。最後に、シミュレーション書籍は当該変換時間で所定のページ変換をする。ページが１回変換してから、機器はタッチの有無及び面積の大きさを引き続き検出して、次回の循環を行う。
【００４８】
上記方法を実行可能な端末装置は、静電容量式タッチパネル（又はタッチ面積を感知可能な入力機器）、グラフィカルユーザインターフェースを有するディスプレー、一つまたは複数のプロセッサ、メモリ、及びメモリに記憶されこれらの方法を実行するための一つまたは複数のモジュール、プログラム又はコマンド集合を備える。ある実施例において、上記電子機器は無線通信を含む多種類の機能が提供されている。
【００４９】
本発明の実施例に係わるページ変換方法によると、既存技術と比べ、接触面積の大きさに対する識別によりページ変換の速度に対する制御が実現されている。ユーザが所望する速度でページめくりが行われ、接触面積が大きい場合、素早いページ変換が実現でき、接触面積が小さい場合、正確にページを指定することが実現できる。また、特定位置の標示は非表示又は透明であるものが可能で、画面のシミュレーション性が損なわれない。要するに、本発明の実施例に係わるページ変換方法によると、人に優しいシミュレーション書籍の閲読が実現できる。
【００５０】
同一の発明構想に基づき、本発明の実施例において、さらに電子書籍ページ変換装置を提供し、その構造を示す図は図６に示すように、
携帯機器のタッチパネルのタッチされた面積を検出する検出モジュール６０１と、
検出モジュール６０１にカップリングされ、タッチされた面積によりタッチパネルに表示される電子書籍のページ変換速度を確定する確定モジュール６０２とを含む。
【００５１】
好適な実施例において、確定モジュール６０２は、タッチされた面積の大きさと電子書籍のページ変換速度とは正比例になる、或いはタッチされた面積の大きさと電子書籍のページ変換速度とは反比例になるというルールによりタッチパネルに表示される電子書籍のページ変換速度を確定することができる。
【００５２】
好適な実施例において、検出モジュール６０１は、さらにタッチパネルにおける少なくとも一つの所定の位置がタッチされた面積を検出するように配置することができる。
【００５３】
同一発明構想に基づき、本発明の実施例は、さらに上記電子書籍のページ変換装置を含む携帯機器を提供する。
【００５４】
以上の説明から、本発明によると、以下のような技術的効果が実現されている。
【００５５】
本発明の実施例において、端末装置のタッチパネルのタッチされた面積と電子書籍のページ変換速度との間に対応するマッピング関係が確立され、タッチされた面積により変換速度が確定され、速度を制御しようとする場合、タッチされた面積を制御すればよく、さらに素早いページ変換を実現するとともに、変換速度が制御され、ページ番号が精確に指定でき、単独のボタンを使用せず、電子書籍のシミュレーション性が確保されている。
【００５６】
言うまでもなく、上述した本発明の各モジュールまたはステップは、汎用のコンピュータ装置により実現することができ、単一のコンピュータ装置に集成してもよいし、複数のコンピュータ装置からなるネットワークに配置してもよい。また、コンピュータ装置が実行可能なプログラムコードにより実現されてもよい。これにより、記憶装置に記憶されてコンピュータ装置により実行されることができる。しかもある場合、ここと異なる順番で示されたまたは説明されたステップが実行でき、或いは、それぞれ各々の集積回路モジュールに作成したり、それらの中の複数のモジュールまたはステップを単一の集積回路モジュールに作成したりして実現することができる。このように、本発明は、いずれの特定のハードウェアとソフトウェアの組み合わせにも限定されない。
【００５７】
以上は、本発明の好適な実施例に過ぎず、本発明を限定するものではない。当業者であれば、本発明の様々な変更や変形が可能である。本発明の精神や原則を逸脱しないいずれの変更、置換、改良なども本発明の保護範囲内に含まれる。
【図１】
2014531676.tif 000003
【図５】
2014531676.tif 000004
【図２】
2014531676.tif 000005
【図３】
2014531676.tif 000006
【図４】
2014531676.tif 000007
【図６】
2014531676.tif 000008
【国際調査報告】
2014531676.tif 000009
2014531676.tif 000010
2014531676.tif 000011
2014531676.tif 000012